(57)【要約】【課題】パーソナルコンピュータの台数が多くても、複雑な配線を要することなく、コストの上昇を招くこともなく、各パーソナルコンピュータを簡単かつ容易に操作することが可能なコンピュータ操作システムを提供する。【解決手段】複数台のパーソナルコンピュータ２０ａ，２０ｂ，…２０ｎに対して１台の操作ユニット１をネットワーク接続する。操作ユニット１は、パーソナルコンピュータ２０ａ，２０ｂ，…２０ｎのそれぞれＩＰアドレスに基づき、そのパーソナルコンピュータ２０ａ，２０ｂ，…２０ｎを操作する。【選択図】      図１
2009289148.tif 000002
【特許請求の範囲】
【請求項１】
それぞれ固有の情報が定められた複数のコンピュータと、
これらコンピュータにネットワーク接続され、その各コンピュータに固有の情報に基づいて同各パーソナルコンピュータに対する操作を実行する１つの操作ユニットと、
を備えることを特徴とするコンピュータ操作システム。
【請求項２】
前記各コンピュータおよび前記操作ユニットは、ネットワーク接続用のネットワークインターフェースを有することを特徴とする請求項１に記載のコンピュータ操作システム。
【請求項３】
前記各コンピュータおよび前記操作ユニットは、無線通信用の無線インターフェースを有することを特徴とする請求項１に記載のコンピュータ操作システム。
【発明の詳細な説明】
【技術分野】
【０００１】
この発明は、複数のコンピュータに対する操作を実行するコンピュータ操作システムに関する。
【背景技術】
【０００２】
１つのプリントサーバに複数のクライアントコンピュータがネットワーク接続されたシステム（例えば特許文献１）では、複数のコンピュータをサーバ側から操作する技術として、各コンピュータとサーバとをそれぞれ配線接続し、これら配線を切替器により選択的に導通して制御信号を送る方法がある。また、ヴァーチャル・ネットワーク・コンピューティング（ＶＮＣ）などのリモート操作用ソフトウェアをサーバに搭載する例もある。
【特許文献１】特開２００４―７８３５９号公報
【発明の開示】
【発明が解決しようとする課題】
【０００３】
上記のように、各コンピュータとサーバとの間の各配線を切替器によって選択的に導通させる方法では、各コンピュータの台数が多い場合、配線の数を増やさねばならず、配線が複雑化して邪魔になるという問題がある。
【０００４】
また、リモート操作用ソフトウェアをサーバに搭載する例では、リモート操作用ソフトウェアを活かすだけの高いスペックがサーバに必要となり、高いスペックが必要となる分だけコストの上昇を招くという問題がある。
【０００５】
この発明は、上記の事情を考慮したもので、その目的は、コンピュータの台数が多くても、複雑な配線を要することなく、コストの上昇を招くこともなく、各コンピュータを簡単かつ容易に操作することが可能なコンピュータ操作システムを提供することにある。
【課題を解決するための手段】
【０００６】
請求項１に係る発明のコンピュータ操作システムは、それぞれ固有の情報が定められた複数のコンピュータと、これらコンピュータにネットワーク接続され、その各パーソナルコンピュータ固有の情報に基づいて同各コンピュータに対する操作を実行する１つの操作ユニットと、を備える。
【発明の効果】
【０００７】
この発明のコンピュータ操作システムによれば、コンピュータの台数が多くても、複雑な配線を要することなく、コストの上昇を招くこともなく、各パーソナルコンピュータを簡単かつ容易に操作できる。
【発明を実施するための最良の形態】
【０００８】
以下、この発明の一実施形態について図面を参照して説明する。  
図１に示すように、１台の操作ユニット１と複数台のパーソナルコンピュータ（ＰＣ）２０ａ，２０ｂ，…２０ｎとが通信ネットワーク１０を介して相互に接続され、本発明のコンピュータ操作システムが構成されている。
【０００９】
操作ユニット１は、制御部２、ＲＯＭ３、ＲＡＭ４、キーボード等の操作部５を有するとともに、ネットワーク接続用のネットワークインターフェース（Ｉ／Ｆ）６を有している。ＲＯＭ３には、パーソナルコンピュータ２０ａ，２０ｂ，…２０ｎにそれぞれ固有の情報として、予め定められたＩＰアドレスが記憶されている。
【００１０】
パーソナルコンピュータ２０ａ，２０ｂ，…２０ｎは、制御部２１、制御プログラム記憶用のＲＯＭ２２、データ記憶用のＲＡＭ２３、データ記憶用のハードディスクドライブ（ＨＤＤ）２４、表示部２５、操作部２６を有するとともに、ネットワーク接続用のネットワークインターフェース（Ｉ／Ｆ）２７を有している。
【００１１】
そして、操作ユニット１の制御部２は、主要な機能として、次の（１）の手段を有している。  
（１）操作部５の操作に応じて、かつＲＯＭ３内の各ＩＰアドレスに基づき、パーソナルコンピュータ２０ａ，２０ｂ，…２０ｎに対する操作を実行する制御手段。
【００１２】
つぎに、図２のフローチャートを参照しながら作用について説明する。  
操作ユニット１の操作部５でパーソナルコンピュータ２０ａに対する操作条件が設定されると（ステップ１０１のＹＥＳ）、パーソナルコンピュータ２０ａに固有のＩＰアドレスに基づき、操作ユニット１からパーソナルコンピュータ２０ａに対し、設定された操作条件に対応する操作用コマンドが送信される。これにより、パーソナルコンピュータ２０ａに対する操作が実行される（ステップ１０２）。
【００１３】
操作ユニット１の操作部５でパーソナルコンピュータ２０ｂに対する操作条件が設定されると（ステップ１０３のＹＥＳ）、パーソナルコンピュータ２０ｂに固有のＩＰアドレスに基づき、操作ユニット１からパーソナルコンピュータ２０ｂに対し、設定された操作条件に対応する操作用コマンドが送信される。これにより、パーソナルコンピュータ２０ｂに対する操作が実行される（ステップ１０４）。
【００１４】
操作ユニット１の操作部５でパーソナルコンピュータ２０ｎに対する操作条件が設定されると（ステップ１０５のＹＥＳ）、パーソナルコンピュータ２０ｎに固有のＩＰアドレスに基づき、操作ユニット１からパーソナルコンピュータ２０ｎに対し、設定された操作条件に対応する操作用コマンドが送信される。これにより、パーソナルコンピュータ２０ｎに対する操作が実行される（ステップ１０６）。
【００１５】
操作としては、パーソナルコンピュータ２０ａ，２０ｂ，…２０ｎのいずれか１つに対する単独の操作はもちろん、複数に対する一括的な操作も可能である。
【００１６】
このように、複数台のパーソナルコンピュータ２０ａ，２０ｂ，…２０ｎに対して１台の操作ユニット１をネットワーク接続したので、パーソナルコンピュータ２０ａ，２０ｂ，…２０ｎと操作ユニット１との間に多数の配線や切替器を設ける必要がなく、たとえパーソナルコンピュータ２０ａ，２０ｂ，…２０ｎの台数が多い場合でも複雑な配線が不要となる。
【００１７】
しかも、操作ユニット１としては、パーソナルコンピュータ２０ａ，２０ｂ，…２０ｎのそれぞれＩＰアドレスに基づいてそのパーソナルコンピュータ２０ａ，２０ｂ，…２０ｎを操作するだけの単純な制御を有するだけでよく、従来のようにリモート操作用ソフトウェアを用いる場合のような高いスペックは不要である。よって、コストの上昇を招くことなく、パーソナルコンピュータ２０ａ，２０ｂ，…２０ｎを簡単かつ容易に操作することができる。
【００１８】
なお、図３に示すように、操作ユニット１のネットワークインターフェース６に代えて無線通信用の無線インターフェース７を設け、かつパーソナルコンピュータ２０ａ，２０ｂ，…２０ｎのそれぞれネットワークインターフェース２７に代えて無線通信用の無線インターフェース２８を設け、操作ユニット１からの無線通信によってパーソナルコンピュータ２０ａ，２０ｂ，…２０ｎを操作する構成としてもよい。
【００１９】
また、上記実施形態では、パーソナルコンピュータ２０ａ，２０ｂ，…２０ｎにそれぞれ固有の情報としてＩＰアドレスを用いたが、ＩＰアドレスに限らず、他の識別コードを用いてもよい。
【００２０】
その他、この発明は上記各実施形態に限定されるものではなく、要旨を変えない範囲で種々変形実施可能である。
【図面の簡単な説明】
【００２１】
【図１】一実施形態の構成を示すブロック図。
【図２】一実施形態の作用を説明するためのフローチャート。
【図３】一実施形態の変形例の構成を示すブロック図。
【符号の説明】
【００２２】
１…操作ユニット、２…制御部、５…操作部、６…ネットワークインターフェース、７…無線インターフェース、１０…通信ネットワーク、２０ａ，２０ｂ，…２０ｎ……パーソナルコンピュータ、２７…ネットワークインターフェース、２８…無線インターフェース
【図１】
2009289148.tif 000003
【図２】
2009289148.tif 000004
【図３】
2009289148.tif 000005